(57)【要約】【課題】  躯体コンクリートを打ち継ぐ際に、コンクリート打ち継ぎ部において、躯体コンクリートに悪影響を与える脆弱部を生じさせない。【解決手段】  躯体コンクリートを打ち継ぐ際に、コンクリート打継部の両側部分において、コンクリート４０を堰き止めるための堰止構造であって、型枠２０の内側面に取り付ける取付片１１と、当該取付片１１から型枠２０内部に向かって突出して設けた堰止片１２とを有する断面略Ｌ字状の堰止部本体１０を備えている。取付片１１は、長さ方向に沿って複数のボルト挿通孔１５を開設するとともに、当該ボルト挿通孔１５の型枠２０とは反対側の面にナット１４を取り付けてある。型枠２０の所定位置に、ボルト挿通孔１５に対向してボルト１３を一連に挿通するためのボルト差込孔２１が設けられている。【選択図】図４
2019019462.tif 000002
【特許請求の範囲】
【請求項１】
躯体コンクリートを打ち継ぐ際に、コンクリート打継部の両側部分において、コンクリートを堰き止めるための堰止構造であって、
型枠の内側面に取り付ける取付片と、当該取付片から型枠内部に向かって突出して設けた堰止片とを有する断面略Ｌ字状の堰止部本体を備え、
前記取付片は、長さ方向に沿って複数のボルト挿通孔を開設するとともに、当該ボルト挿通孔の型枠とは反対側の面にナットを取り付けてあり、
前記型枠の所定位置に、前記ボルト挿通孔に対向してボルトを一連に挿通するためのボルト差込孔が設けられている、
ことを特徴とする躯体コンクリート打継部におけるコンクリート堰止構造。
【請求項２】
型枠の内側面に取り付ける取付片と、当該取付片から型枠内部に向かって突出して設けた堰止片とを有する断面略Ｌ字状の堰止部本体を用いた躯体コンクリート打継部におけるコンクリート堰止方法であって、
前記取付片の長さ方向に沿って複数のボルト挿通孔を設けるとともに、当該ボルト挿通孔の型枠とは反対側の面にナットを取り付け、
前記型枠の所定位置であって、前記ボルト挿通孔に対向する位置に設けたボルト差込孔と前記ボルト挿通孔とにボルトを一連に挿通し、当該ボルトの先端部を前記ナットにネジ付けることにより、型枠に堰止部本体を固定して、
躯体コンクリートを打ち継ぐ際に、コンクリート打継部の両側部分において、コンクリートを堰き止める、
ことを特徴とする躯体コンクリート打継部におけるコンクリート堰止方法。
【請求項３】
前記堰止部本体によりコンクリート打継部の両側部分でコンクリートを堰き止め、
前記堰止部本体を配設した部分以外にはエアーフェンスを配設して、コンクリートを堰き止めることを特徴とする請求項２に記載の躯体コンクリート打継部におけるコンクリート堰止方法。
【請求項４】
前記堰止部本体によりコンクリートを堰き止めるのは、鉄筋の被り部分であることを特徴とする請求項２又は３に記載の躯体コンクリート打継部におけるコンクリート堰止方法。
【発明の詳細な説明】
【技術分野】
【０００１】
本発明は、躯体コンクリート打継部におけるコンクリート堰止構造及びコンクリート堰止方法に関するものであり、特に、躯体コンクリートを打ち継ぐ際に、躯体コンクリートに悪影響を与える脆弱な打ち継ぎ部分を生じさせないようにしたコンクリート堰止構造及びコンクリート堰止方法に関するものである。
【背景技術】
【０００２】
建築物の工事現場においては、その規模に応じて工区を分割して施工を行うことが一般的であり、工区を分割した場合には躯体コンクリートの打ち継ぎが必須となる。一般的には、先工区のコンクリート打設を行った翌日に後工区のコンクリート打設を行うが、この際、打ち継ぎ部においてコンクリートを堰き止めるための装置が使用される。
【０００３】
従前は、打ち継ぎ部においてコンクリートを堰き止めるためにラス網等を使用していたが、施工に時間が掛かるばかりでなく、コンクリートが漏れ出したり、錆が発生したりすることにより、躯体コンクリートの品質が低下する等、種々の不具合が発生していた。近年では、施工時間を短縮できるとともに、種々の構造を有する打ち継ぎ部に対して柔軟に対応可能な堰き止め装置として、エアーフェンスが用いられている（例えば、特許文献１〜特許文献３参照）。
【０００４】
特許文献１に記載された技術は、先行構築する水平部材と後行構築する水平部材との間に、角形の膜チューブを設置し、この膜チューブ内にエアーを充填してエアーフェンスを形成する。そして、先行構築する水平部材のコンクリートを打設して硬化した後、エアーフェンスを撤去し、先行構築した水平部材と接続して水平部材を後行構築するようにしたものである。
【０００５】
特許文献２に記載された技術は、鉛直打ち足し部で仕切られた柱部に高流動コンクリートを打ち込む技術に関するものである。この技術では、止め型枠の網目は鋼板とエアーフェンスによって塞がれているので、高流動コンクリートやモルタルが漏洩することはなく、エアーフェンスは鋼板とスターラップの間にあって、鋼板の移動を抑えるスペーサの役割を果たすとされている。
【０００６】
特許文献３に記載された技術は、ＳＲＣ梁のコンクリート打継ぎ面に設ける型枠に関するものであり、鉄骨梁の上下フランジとウェブで囲まれたコの字型の部分及び下フランジの下部に、夫々ラス網を据付ける。次に、ラス網の外側と梁の側型枠との間の梁高方向に複数のチュ−ブ据付け、各チューブ内にエアーを充填してエアーフェンスを形成するようになっている。
【先行技術文献】
【特許文献】
【０００７】
【特許文献１】特開２０００−２７４３８号公報
【特許文献１】特開２０００−２７４３９号公報
【特許文献１】特開２０００−３８８３９号公報
【発明の概要】
【発明が解決しようとする課題】
【０００８】
しかし、図５に示すように、コンクリート打継面において、エアーフェンス３０を用いてコンクリート４０を堰き止めた場合に、エアーフェンス３０を取り外した後のコンクリート打継面は、エアーフェンス３０の外形形状に合わせて波打った形状となり、隣り合うエアーフェンス３０の間に脆弱部１００が発生してしまう。この現象は、一般的に使用されている円柱状のエアーフェンス３０において顕著であるが、角柱状のエアーフェンス３０を用いたとしても、隣り合うエアーフェンス３０の間にコンクリート４０が入り込んで、脆弱部１００が発生することに変わりはない。なお、図５において、符号２０は型枠、符号５０は主筋である。
【０００９】
特に、躯体コンクリートの外周部において脆弱部が発生すると、コンクリート打継面における強度が低下し、躯体コンクリートの品質が低下してしまう。なお、躯体コンクリートの中心部分では、脆弱部が存在しても躯体コンクリートの強度に与える影響は殆どないため、躯体コンクリートの外周部における対策が重要となる。
【００１０】
本発明は、上述した事情に鑑み提案されたもので、躯体コンクリートを打ち継ぐ際に、コンクリート打ち継ぎ部において、躯体コンクリートに悪影響を与える脆弱部を生じさせないようにした躯体コンクリート打継部におけるコンクリート堰止構造及びコンクリート堰止方法を提供することを目的とする。
【課題を解決するための手段】
【００１１】
本発明に係る躯体コンクリート打継部におけるコンクリート堰止構造及びコンクリート堰止方法は、上述した目的を達成するため、以下の特徴点を有している。すなわち、本発明に係る躯体コンクリート打継部におけるコンクリート堰止構造は、躯体コンクリートを打ち継ぐ際に、コンクリート打継部の両側部分において、コンクリートを堰き止めるための堰止構造であって、型枠の内側面に取り付ける取付片と、当該取付片から型枠内部に向かって突出して設けた堰止片とを有する断面略Ｌ字状の堰止部本体を備えている。
【００１２】
取付片は、長さ方向に沿って複数のボルト挿通孔を開設するとともに、当該ボルト挿通孔の型枠とは反対側の面にナットを取り付けてある。また、型枠の所定位置に、ボルト挿通孔に対向してボルトを一連に挿通するためのボルト差込孔が設けられている。
【００１３】
本発明に係る躯体コンクリート打継部におけるコンクリート堰止方法は、型枠の内側面に取り付ける取付片と、当該取付片から型枠内部に向かって突出して設けた堰止片とを有する断面略Ｌ字状の堰止部本体を用いた躯体コンクリート打継部におけるコンクリート堰止方法である。
【００１４】
この躯体コンクリート打継部におけるコンクリート堰止方法では、取付片の長さ方向に沿って複数のボルト挿通孔を設けるとともに、当該ボルト挿通孔の型枠とは反対側の面にナットを取り付ける。また、型枠の所定位置であって、ボルト挿通孔に対向する位置に設けたボルト差込孔とボルト挿通孔とにボルトを一連に挿通し、当該ボルトの先端部をナットにネジ付けることにより、型枠に堰止部本体を固定する。躯体コンクリートを打ち継ぐ際に、型枠に固定した堰止部本体の堰止片により、コンクリート打継部の両側部分において、コンクリートを堰き止める。
【００１５】
この際、堰止部本体によりコンクリート打継部の両側部分でコンクリートを堰き止めるとともに、コンクリート堰止構造を配設した部分以外にはエアーフェンスを配設して、コンクリートを堰き止める。また、堰止部本体によりコンクリートを堰き止めるのは、鉄筋の被り部分とすることが好ましい。
【発明の効果】
【００１６】
本発明に係る躯体コンクリート打継部におけるコンクリート堰止構造及びコンクリート堰止方法によれば、堰止部本体によりコンクリート打継部の両側部分でコンクリートを堰き止める。堰止部本体は、断面略Ｌ字状をなし、型枠の内側面に取り付ける取付片と、当該取付片から型枠内部に向かって突出して設けた堰止片とを備えており、堰止片がコンクリートを堰き止めるための部材となる。
【００１７】
堰止片は、断面略Ｌ字状をなす堰止部本体の一部分であり、平板状となっている。このため、コンクリート打継部の両側部分において堰き止めたコンクリート面は平坦なものとなって、後行して打ち込むコンクリートと密着するため、コンクリート打継部の両側部分において脆弱部が発生せず、コンクリート打継面における強度を維持して、躯体コンクリートの品質を向上させることができる。
【００１８】
なお、躯体コンクリートの中心部分では、脆弱部が存在しても躯体コンクリートの強度に与える影響は殆どないため、従来から使用しているエアーフェンスを使用してコンクリートを堰き止めても問題が生じることはない。そして、躯体コンクリートの中心部分でエアーフェンスを用いることにより、堰止構造の施工が容易となり、施工時間を短縮することができる。すなわち、堰止部本体によりコンクリートを堰き止めるのは鉄筋の被り部分とすることにより、堰止片が鉄筋と干渉せず、また、塩害や中性化が懸念される被り部分において、脆弱部をなくすことができる。
【図面の簡単な説明】
【００１９】
【図１】本発明の実施形態に係る躯体コンクリート打継部におけるコンクリート堰止構造の断面図。
【図２】本発明の実施形態に係る堰止部本体の斜視図。
【図３】本発明の実施形態に係る堰止部本体の正面図。
【図４】本発明の実施形態に係る堰止部本体の取付状態の断面図。
【図５】従来の躯体コンクリート打継部におけるコンクリート堰止構造の断面図。
【発明を実施するための形態】
【００２０】
以下、図面を参照して、本発明の実施形態に係る躯体コンクリート打継部におけるコンクリート堰止構造及びコンクリート堰止方法（以下、コンクリート堰止構造及びコンクリート堰止方法という）を説明する。図１〜図４は本発明の実施形態に係るコンクリート堰止構造及びコンクリート堰止方法を説明するもので、図１はコンクリート堰止構造の断面図、図２は堰止部本体の斜視図、図３は堰止部本体の正面図（型枠の内側から見た状態）、図４は堰止部本体の取付状態の断面図である。なお、図１において、鉄筋の位置を明示するために鉄筋のすべてを実線で表しているが、鉄筋にはコンクリートに埋設している部分も存在する（図５において同様）。
【００２１】
＜コンクリート堰止構造及びコンクリート堰止方法の概要＞
本発明の実施形態に係るコンクリート堰止構造及びコンクリート堰止方法は、図１に示すように、躯体コンクリートを打ち継ぐ際に、コンクリート打継部の両側部分において、コンクリート４０を堰き止めるための構造及び方法に関するものである。このコンクリート堰止構造及びコンクリート堰止方法は、躯体コンクリートを打ち継ぐ際に、打継部の全体にわたってエアーフェンス３０を用いるのではなく、コンクリート打継部の両側部分にはエアーフェンス３０を用いずに本発明に係る堰止構造を用いることにより、特にコンクリート打継部の両側部分において、先行して打ち込んだコンクリート４０と後行して打ち込んだコンクリート４０との間に脆弱部が発生しないようにしたものである。なお、図１において、符号５０は主筋である。
【００２２】
コンクリート堰止構造は主要構成要素として、図１〜図４に示すように、断面略Ｌ字状の板材である堰止部本体１０を備えている。この堰止部本体１０は、型枠２０の内側面に取り付ける取付片１１と、当該取付片１１から型枠２０の内部に向かって略直角に突出して設けた堰止片１２とを有している。そして、堰止部本体１０の取付片１１は、長さ方向に沿って複数のボルト挿通孔１５を開設するとともに、当該ボルト挿通孔１５の型枠２０とは反対側の面にナット１４を取り付けてある。また、躯体コンクリートを施工するための型枠２０の所定位置に、ボルト挿通孔１５に対向してボルト１３を一連に挿通するためのボルト差込孔２１が設けられている。
【００２３】
＜堰止部本体＞
堰止部本体１０は、図１〜図４に示すように、板状の部材を長手方向に沿って断面略Ｌ字状に屈曲させた部材であり、取付片１１と堰止片１２とが略直角となっている。ここで、断面略Ｌ字状とは、取付片１１と堰止片１２の幅（屈曲部から取付片１１と堰止片１２の先端部までの長さ）が異なっている場合だけではなく、両者の幅が略同一の場合も含んでいる。例えば、取付片１１の幅は５０ｍｍ程度、堰止片１２の幅は約７５ｍｍ〜１２０ｍｍ程度、堰止部本体１０の長さは約３ｍに設定するが、各寸法は、施工対象となる躯体コンクリートの配筋状態等に対応させて適宜変更することができる。
【００２４】
＜取付片＞
取付片１１は、図２〜図４に示すように、型枠２０の内側面に取り付けるための部分であり、長さ方向に沿って複数のボルト挿通孔１５が開設されている。このボルト挿通孔１５は、型枠２０に設けたボルト差込孔２１とともに、堰止部本体１０を型枠２０に取り付けるために機能する。取付片１１には、型枠２０に取り付けた際に型枠２０とは反対側の面であって、ボルト挿通孔１５に対向する位置に、ナット１４が取り付けられている。ナット１４は、例えば、溶接により取付片１１に取り付けるが、接着等、他の手段を用いて取付片１１に取り付けてもよい。
【００２５】
＜堰止片＞
堰止片１２は、図２〜図４に示すように、取付片１１から型枠２０内部に向かって略直角に突出して設けられている。この堰止片１２により、躯体コンクリートを打ち継ぐ際に、コンクリート打継部の両側部分において、コンクリート４０を堰き止めることができる。堰止片１２の幅（型枠２０の内部へ向かう突出量）は、配筋位置等に応じて適宜設定することができる。すなわち、堰止片１２の幅（型枠２０の内部へ向かう突出量）は、鉄筋の被り厚程度とすることにより、堰止片１２が鉄筋と干渉せず、また、塩害や中性化が懸念される被り部分において、脆弱部をなくすことができる。
【００２６】
＜躯体コンクリートの打ち継ぎ＞
上述したコンクリート堰止構造を用いた躯体コンクリートの打ち継ぎについて説明する。なお、以下の説明において、躯体コンクリートを打設するには、躯体コンクリートの外周面を規定する型枠２０が施工されていることを前提とする。
【００２７】
コンクリート堰止構造を形成するには、図４に示すように、コンクリート打継部の両側部分（型枠２０の内側）に堰止部本体１０を固定する。すなわち、型枠２０に設けたボルト差込孔２１と取付片１１に開設したボルト挿通孔１５にボルト１３を一連に挿通し、ボルト１３の先端部を取付片１１に取り付けたナット１４にネジ付けることにより、コンクリート打継部の両側部分（型枠２０の内側）に堰止部本体１０を固定する。また、図１に示すように、堰止部本体１０を配設した部分以外にはエアーフェンス３０を配設する。そして、堰止部本体１０によりコンクリート打継部の両側部分（型枠２０の内側付近）でコンクリート４０を堰き止め、エアーフェンス３０によりコンクリート打継部の中央部分でコンクリート４０を堰き止める。
【００２８】
先工区においてコンクリート４０の打ち込みが完了したら、コンクリート４０の硬化を待ってエアーフェンス３０及び堰止部本体１０を取り外し、後工区においてコンクリート４０を打ち込む位置で、上述した手順でコンクリート堰止構造を形成する。そして、このような手順を繰り返して実施することにより、躯体コンクリートを構築する。
【００２９】
＜堰止部本体の再利用＞
上述したように、堰止部本体１０は型枠２０を解体することなく撤去することができるので、繰り返して使用することが可能となる。また、堰止部本体１０の固定及び撤去は、予め形成したボルト差込孔２１とボルト挿通孔１５へボルト１３を挿通し、ボルト１３の先端部をナット１４に締め付ける作業と、ボルト１３をナット１４から外して、ボルト差込孔２１とボルト挿通孔１５からボルト１３を抜き取る作業であるため、作業が容易なものとなり、熟練工でなくても適切な施工を行うことができる。
【符号の説明】
【００３０】
１０  堰止部本体
１１  取付片
１２  堰止片
１３  ボルト
１４  ナット
１５  ボルト挿通孔
２０  型枠
２１  ボルト差込孔
３０  エアーフェンス
４０  コンクリート
５０  主筋
１００  脆弱部
【図１】
2019019462.tif 000003
【図２】
2019019462.tif 000004
【図３】
2019019462.tif 000005
【図４】
2019019462.tif 000006
【図５】
2019019462.tif 000007